(57)【要約】【課題】土砂収容部内における植物の植生を良好に図り、都市景観の緑化に貢献できるブロックを提供する。【解決手段】ブロック１１には、敷設された場合に上下方向に層状をなす２層が形成されている。すなわち、ブロック１１は、敷き詰められた場合に上層となる第１層Ａが保水層になると共に、敷き詰められた場合に下層となる第２層Ｂが透水層となるように形成されている。【選択図】図１
2007315032.tif 000002
【特許請求の範囲】
【請求項１】
敷設された場合に上下方向に層状をなす複数の層が形成されてなるブロックであって、
敷設された場合における最上層が保水層になると共に、前記最上層以外の層のうち少なくとも一層が透水層になるように形成されたブロック。
【請求項２】
前記保水層は、その保水量が０．１５ｇ／ｃｍ3 以上に設定されている請求項１に記載のブロック。
【請求項３】
前記透水層は、その透水係数が１×１０-3以上に設定されている請求項１又は請求項２に記載のブロック。
【発明の詳細な説明】
【技術分野】
【０００１】
本発明は、例えば駐車場の敷地内に敷き詰められるブロックに関する。
【背景技術】
【０００２】
従来、ヒートアイランド現象を抑制するためのブロックとして、例えば特許文献１に記載のブロックが提案されている。この特許文献１に記載のブロック（以下、「従来ブロック」という。）は、表面に対して垂直方向に保水層と透水層が層状に形成され、敷設時には上層が透水層となる一方、下層が保水層となるようにして敷設される２層構造のブロックである。そして、この従来ブロックでは、上層となる透水層が雨水等をブロック内に早く浸透させることにより、ブロックの表面に水溜まりができることを抑制する一方、下層となる保水層内に浸透して貯留された水分を上層の透水層を介してブロックの表面から大気中に蒸発させることにより、ブロックの表面の温度上昇の抑制を図るようにしている。
【特許文献１】特開２００５−２２０６８９号公報（請求項４、図４）
【発明の開示】
【発明が解決しようとする課題】
【０００３】
ところで、近年、例えば駐車場の敷地内では、多数のブロックを敷き詰めると共に、各ブロック間に区画形成される土砂収容部内に土砂を充填させ、その土砂中に芝生などの植物を植生させることにより、都市景観の緑化が図られることがある。しかしながら、こうした際に従来ブロックを使用した場合には、以下に示すような問題点があった。
【０００４】
すなわち、従来ブロックが敷き詰められた駐車場に雨や雪が降り、該雨や雪に基づく水分が土砂収容部内に浸透した場合、土砂収容部内の土砂よりも下方の地盤にて吸収しきれない余剰な水分は、土砂収容部内の下方に溜まってしまう。こうした場合に、土砂収容部内の下方に溜まった余剰水分は土砂収容部外へと排水されることが好ましい。ところが、従来ブロックでは、土砂収容部内の下方域と対応する下層が保水層であるため、この保水層が一種の堰きとして機能してしまい、土砂収容部内の下方に溜まった余剰な水分を土砂収容部外へ排水できない。そのため、土砂収容部内の下方に余剰水分が溜まったままとなる結果、その土砂中の水分過剰に起因して、土砂収容部内に植生された植物が根腐れしてしまうおそれがあった。
【０００５】
一方、従来ブロックの場合、そのブロック表面からブロック内に浸透した雨水等の水分は、その大部分が上層の透水層内を重力に基づき通過し、下層の保水層内に浸透して貯留される。すなわち、ブロック内に貯留（保水）されてヒートアイランド現象の抑制に寄与する水分は、その大部分が下層の保水層内に貯留されることになり、上層の透水層内にはほとんど貯留されないことになる。そのため、かかる従来ブロックでは、夏季等の日照時にブロックの表面温度が昇温した際、上層の透水層内から水分が直接的に蒸発するようなことはなく、下層の保水層内に貯留されている水分が上層の透水層を介して間接的に蒸発する構成であることから、ヒートアイランド現象を良好に抑制できなかった。その一方、水分を貯留した下層の保水層においては、該保水層の排水効率が低いため、保水層から土砂収容部内への水分の排水もほとんど行われない。そのため、従来ブロックが敷き詰められた駐車場内では、ヒートアイランド現象に伴う温度上昇により、各ブロック間に形成された土砂収容部内の土砂の温度が上昇してしまう結果（すなわち、地温が上昇してしまう結果）、土砂収容部内に植生された植物が、地温の上昇に基づき生育不良を起こすおそれがあった。したがって、従来ブロックを多数敷き詰めたとしても、土砂収容部内における植物の植生が困難となり、都市景観の緑化に貢献できるとは言い難かった。
【０００６】
本発明は、上記事情に鑑みてなされたものであり、その目的は、土砂収容部内における植物の植生を良好に図り、都市景観の緑化に貢献できるブロックを提供することにある。
【課題を解決するための手段】
【０００７】
上記目的を達成するために、請求項１にかかる発明は、敷設された場合に上下方向に層状をなす複数の層が形成されてなるブロックであって、敷設された場合における最上層が保水層になると共に、前記最上層以外の層のうち少なくとも一層が透水層になるように形成されたことを要旨とする。
【０００８】
請求項２に記載の発明は、請求項１に記載のブロックにおいて、前記保水層は、その保水量が０．１５ｇ／ｃｍ3 以上に設定されていることを要旨とする。
請求項３に記載の発明は、請求項１又は請求項２に記載のブロックにおいて、前記透水層は、その透水係数が１×１０-3以上に設定されていることを要旨とする。
【発明の効果】
【０００９】
本発明によれば、土砂収容部内における植物の植生を良好に図り、都市景観の緑化に貢献できる。
【発明を実施するための最良の形態】
【００１０】
以下、本発明を具体化した一実施形態を図１〜図２に従って説明する。なお、以下における本明細書中の説明において、「上下方向」をいう場合は図１（ｂ）に矢印で示す上下方向を示すものとする。
【００１１】
図１（ａ）（ｂ）に示すように、本実施形態のブロック１１は、平面視略正方形状をなすブロック本体１２を備えている。このブロック本体１２の各側面には、突出部１３ａ，１３ｂ，１３ｃ，１３ｄがそれぞれ突設されている。これら各突出部１３ａ〜１３ｄのうち、図１（ａ）において上側面及び右側面に突設された各突出部１３ａ，１３ｂは、それらの先端が凸状をなすように形成される一方、図１（ａ）において下側面及び左側面に突設された各突出部１３ｃ，１３ｄは、それらの先端が凹状をなすようにそれぞれ形成されている。また、各突出部１３ａ，１３ｂには、それらの先端に複数（本実施形態では２つ）の突条部１４が上下方向に延びるようにそれぞれ設けられている。
【００１２】
また、各突出部１３ａ〜１３ｄの裏面側（本実施形態では下面側）には、上下方向と直交する方向に向けて延びる連通部１５がそれぞれ裏面側から抉るように形成されている。すなわち、突出部１３ａ，１３ｃの裏面側には、図１（ａ）における左右方向に向けて延びる連通部１５がそれぞれ抉るように形成されている。また、突出部１３ｂ，１３ｄの裏面側には、図１（ａ）における上下方向に向けて延びる連通部１５がそれぞれ抉るように形成されている。そして、各突出部１３ａ〜１３ｄの裏面側には、連通部１５を形成したことにより、ブロック１１の裏面に連なる裏面側開口１５ａがそれぞれ形成されている。
【００１３】
各突出部１３ａ〜１３ｄの表面側（本実施形態では上面側）には、上下方向と直交する方向に向けて延びる凹部１６がそれぞれ抉るように形成されている。すなわち、突出部１３ａ，１３ｃの表面側には、図１（ａ）における左右方向に向けて延びる凹部１６がそれぞれ抉るように形成されている。また、突出部１３ｂ，１３ｄの表面側には、図１（ａ）における上下方向に向けて延びる凹部１６がそれぞれ抉るように形成されている。そして、各突出部１３ａ〜１３ｄの表面側には、凹部１６を形成したことにより、ブロック１１の表面に連なる表面側開口１６ａがそれぞれ形成されている。
【００１４】
また、本実施形態のブロック１１には、上下方向に層状をなす複数の層（本実施形態では２層）が形成されている。すなわち、各層のうち敷設された場合に最上層となる第１層Ａは、該第１層Ａ以外の層（この場合、後述する第２層Ｂ）よりも保水性が高い保水層であると共に、最下層となる第２層Ｂは、該第２層Ｂ以外の層（第１層Ａ）よりも透水性が高い透水層とされている。なお、本実施形態のブロック１１は、各層Ａ，Ｂの厚みが略同一となるように形成されている。
【００１５】
第１層Ａは、その保水量が０．１５ｇ／ｃｍ3 以上となると共に、その曲げ強度が３．０Ｎ／ｍｍ2 以上となるように形成されている。また、第２層Ｂは、その透水係数が１×１０-3以上となると共に、その曲げ強度が３．０Ｎ／ｍｍ2 以上となるように形成されている。
【００１６】
次に、本実施形態のブロック１１が駐車場の敷地内に多数敷き詰められた場合について図２に基づき以下説明する。
図２に示すように、各ブロック１１は、それらの突出部１３ａ〜１３ｄが互いに凹凸嵌合形態をなすようにそれぞれ敷き詰められる。すなわち、各ブロック１１は、先端が凸状をなす突出部１３ａ，１３ｂと先端が凹状をなす突出部１３ｃ，１３ｄとが対向するようにそれぞれ敷き詰められる。そして、互いに隣り合うブロック１１間には、各突出部１３ａ〜１３ｄを境として、ブロック１１の表面側から裏面側に貫通するように土砂収容部１７が形成される。そして、該各土砂収容部１７内には、土砂が収容（充填）されると共に、各土砂収容部１７の土砂内には、駐車場の都市景観の向上を図るために、芝生などの植物が植生される。
【００１７】
そして、この駐車場に雨や雪が降った場合、該雨や雪に基づいた水分は、土砂収容部１７内の土砂内に浸透すると共に、各ブロック１１の第１層Ａ内に浸透して該第１層Ａ内に貯留される。そして、この第１層Ａ内に貯留された水分は、夏季等の日照時において第１層Ａ内から直接的に大気に蒸発することにより、ヒートアイランド現象を抑制する。この点、本実施形態では、最上層である第１層Ａが保水層として機能するため、最上層が透水層で構成されたブロックの場合とは異なり、ヒートアイランド現象の抑制効果が良好に発揮される。そのため、駐車場の地中の温度上昇が抑制される結果（すなわち、地温の上昇が抑制される結果）、地温の上昇に基づいた各土砂収容部１７内に植生された芝生などの植物の生育不良が抑制される。
【００１８】
また、土砂収容部１７内に水分が保水能力を越えて余剰に浸透し、その余剰水分が土砂収容部１７内の下方に溜まってしまった場合、該余剰な水分は、ブロック１１において該土砂収容部１７内の下方域と対応する第２層Ｂ内に流入することになる。この第２層Ｂは透水層であるため、該第２層Ｂ内に流入した水分は、該第２層Ｂ内を通過して側方へと排水される。このように、土砂収容部１７内の下方に溜まった余剰な水分は、ブロック１１の第２層Ｂ内を介して側方へと排水されることになるため、各土砂収容部１７内の下方に余剰な水分が溜まることが抑制される。そのため、各土砂収容部１７内における水分過剰により、該各土砂収容部１７内に植生された芝生などの植物が、水分過剰により根腐れしてしまうことが抑制される。
【００１９】
したがって、本実施形態では、以下に示す効果を得ることができる。
（１）ブロック１１の下層である第２層Ｂは透水層である。そのため、各ブロック１１間に形成された土砂収容部１７内において余剰な水分が溜まってしまった場合、該余剰な水分は、ブロック１１の第２層Ｂ内を通過して側方へと排水される。そのため、各土砂収容部１７内の下方に余剰な水分が溜まってしまうことが抑制される結果、水分過剰に起因した土砂収容部１７内に植生された芝生などの植物の根腐れを抑制できる。
【００２０】
（２）また、最上層である第１層Ａは、保水層であるため、該第１層Ａ内には、水分が多く貯留されることになる。そして、第１層Ａ内の水分は、ブロック１１の表面温度が上昇した場合、その第１層Ａ内から直接的に大気に蒸発することにより、ヒートアイランド現象を良好に抑制する。そのため、各ブロック１１が敷き詰められた駐車場の地中の温度上昇が抑制される結果（すなわち、地温の上昇が抑制される結果）、地温の上昇に起因した該土砂収容部１７内に植生された芝生などの植物の生育不良を抑制できる。したがって、ヒートアイランド現象を抑制できると共に、植生された芝生の良好な成長を通じて都市景観の緑化に貢献できる。
【００２１】
（３）本実施形態では、ブロック１１は、保水層となる上層の第１層Ａの厚みと透水層となる下層の第２層Ｂの厚みがほぼ同等となるように形成されている。そのため、第１層Ａが第２層Ｂよりも厚みが薄くなるように形成された場合とは異なり、ヒートアイランド現象の抑制に寄与する水分貯留量を多くできる分だけヒートアイランド現象の抑制効果をより長期的に発揮できる。
【００２２】
なお、上記実施形態は以下のような別の実施形態（別例）に変更してもよい。
・実施形態において、ブロック１１は、図３に示すように、第２層Ｂの厚みの方が第１層Ａの厚みよりも厚くなるように形成されたものであってもよい。逆に、ブロック１１は、第１層Ａの厚みの方が第２層Ｂの厚みよりも厚くなるように形成されたものであってもよい。
【００２３】
・実施形態において、ブロック１１は、図４に示すように、略直方体状をなすブロックであってもよい。また、ブロック１１は、略円筒形状をなすブロックであってもよい。
・実施形態において、ブロック１１は、敷設された際に最上層となる層が保水層であれば、２層以外の複数層からなるブロックであってもよい。例えば、図５に示すように、３層からなるブロック１１であってもよい。この場合、最上層である第１層Ａ以外の２層（第２層Ｂ及び第３層Ｃ）のうち少なくとも一層が透水層に形成される必要がある。
【００２４】
・実施形態において、各ブロック１１は、それらの突出部１３ａ〜１３ｄが互いに凹凸嵌合形態をなすようにそれぞれ敷き詰められるのではなく、それらの突出部１３ａ〜１３ｄとの間に土砂が充填（収容）されるスペースが介在するように敷設されてもよい。
【００２５】
・実施形態において、ブロック１１を、公園の敷地内や歩道など、駐車場の敷地内以外にも敷設してもよい。
次に、上記実施形態及び別例から把握できる技術的思想について以下に追記する。
【００２６】
（イ）前記保水層は、その曲げ強度が３．０Ｎ／ｍｍ2 以上に設定されている請求項２に記載のブロック。
（ロ）前記透水層は、その曲げ強度が３．０Ｎ／ｍｍ2 以上に設定されている請求項３に記載のブロック。
【図面の簡単な説明】
【００２７】
【図１】（ａ）は本実施形態におけるブロックの平面図、（ｂ）は図１（ａ）における１−１線矢視断面図。
【図２】多数のブロックが敷き詰められた場合の平面図。
【図３】別例のブロックを示す側面図。
【図４】他の別例のブロックを示す概略斜視図。
【図５】さらなる別例のブロックを示す概略斜視図。
【符号の説明】
【００２８】
１１…ブロック、Ａ…第１層（最上層）、Ｂ…第２層（最上層以外の層）、Ｃ…第３層（最上層以外の層）。
【図１】
2007315032.tif 000003
【図２】
2007315032.tif 000004
【図３】
2007315032.tif 000005
【図４】
2007315032.tif 000006
【図５】
2007315032.tif 000007